(57)【要約】【課題】端子台への圧着端子の取り付けや取り外しを容易かつ確実に行うことができ、またケーブルに過大な引張荷重が加わった場合にも圧着端子が引き抜けてしまうことのない構造が単純な差込式端子台を提供する。【解決手段】先端部にリング部（１２）が形成された平板状の圧着端子（１４）が設けられたケーブル（１６）を電気回路に接続するための差込式端子台（１０）であって、前記圧着端子を挿入するための空隙（Ａ）が形成された端子台本体（１８）と、該端子台本体に内装され前記空隙内において軸方向下方に付勢された状態で圧着端子の挿入方向と垂直に立設する端子固定棒（２２）と、を備え、該端子固定棒は、圧着端子を端子固定棒の側方から押し込むことで持ち上がり前記空隙内への圧着端子の挿入を許容する一方、挿入された圧着端子のリング部と係合することで圧着端子の引き抜きを禁止する。【選択図】図２
2008066196.tif 000002
【特許請求の範囲】
【請求項１】
先端部にリング部（１２）が形成された平板状の圧着端子（１４）が設けられたケーブル（１６）を電気回路に接続するための差込式端子台（１０）であって、
前記圧着端子を挿入するための空隙（Ａ）が形成された端子台本体（１８）と、該端子台本体に内装され前記空隙内において軸方向下方に付勢された状態で圧着端子の挿入方向と垂直に立設する端子固定棒（２２）と、を備え、
該端子固定棒は、圧着端子を端子固定棒の側方から押し込むことで持ち上がり前記空隙内への圧着端子の挿入を許容する一方、挿入された圧着端子のリング部と係合することで圧着端子の引き抜きを禁止する、ことを特徴とする差込式端子台。
【請求項２】
前記端子固定棒（２２）を引き上げて端子固定棒と前記圧着端子（１４）の前記リング部（１２）との係合を解除するための解除機構（２４）をさらに備えた、ことを特徴とする請求項１に記載の差込式端子台。
【請求項３】
前記解除機構（２４）は端子台本体（１８）の正面に形成された解除用孔（２６）から棒材（２８）を差し込むことによって前記端子固定棒（２２）を持ち上げるシーソー（３０）である、ことを特徴とする請求項２に記載の差込式端子台。
【請求項４】
前記解除機構（２４）は強磁性体によって製作された端子固定棒（２２）および端子固定棒を端子台本体（１８）の正面側から磁着することで持ち上げる磁石（３２）である、ことを特徴とする請求項２に記載の差込式端子台。
【請求項５】
前記空隙（Ａ）内に挿し入れた圧着端子（１４）を空隙内に敷設された導体（３３）に押し付ける板バネ（３４）をさらに備えた、ことを特徴とする請求項１乃至４のいずれか一項に記載の差込式端子台。
【請求項６】
先端部にリング部（１２）が形成された平板状の圧着端子（１４）が設けられたケーブル（１６）を電気回路に接続するための差込式端子台（１０）であって、
前記圧着端子を挿入するための空隙（Ａ）が形成された端子台本体（１８）に内装され、空隙内（Ａ）内には挿し入れた圧着端子（１４）を空隙内に敷設された導体（３３）に押し付ける板バネ（３４）が備えられ、
該板バネには圧着端子を側方から押し込むことで持ち上がり前記空隙内への圧着端子の挿入を許容する一方、挿入された圧着端子のリング部と係合することで圧着端子の引き抜きを禁止する係合突起（３６）が形成されている、ことを特徴とする差込式端子台。
【請求項７】
前記板バネ（３４）を引き上げて前記係合突起（３６）と前記圧着端子（１４）の前記リング部（１２）との係合を解除するための解除機構（２４）をさらに備えた、ことを特徴とする請求項６に記載の差込式端子台。
【発明の詳細な説明】
【技術分野】
【０００１】
本発明は、先端部にリング部が形成された平板状の圧着端子が設けられたケーブルを電気回路に接続するための差込式端子台に関するものであって、ネジ等を使用することなく端子台に挿入した圧着端子の抜け落ちをなくし確実な接続を可能としたものである。
【背景技術】
【０００２】
変電所等で使用されているケーブル接続用の端子台は、図８に示したように圧着端子をネジにより締め付ける構造となっている。なお圧着端子には、その先端がリング状に形成されたもの（図８（ａ））や刺股状に形成されたもの（図８（ｂ））などがあるが、いずれも平板の圧着端子をネジにより端子台本体との間に挟み込むことによってその固定・接続が行われる。
【０００３】
ここでネジによる圧着端子の固定・接続ではその取り付け・取り外しに手間を要するため、例えば特許文献１の「ネジ無端子台の接続構造」のように差込式に圧着端子を接続する構造なども発案されている。
【特許文献１】特開２００５−６３８１４号公報
【発明の開示】
【発明が解決しようとする課題】
【０００４】
しかしながら特許文献１に記載の発明では圧着端子側片を接続板バネで抑える構造となっているため、ケーブルに過大な引張荷重が加わると圧着端子が引き抜けてしまう虞があった。なお過大な引張荷重が加わった場合にも圧着端子の引き抜けないようにした構造としては例えば登録実用新案第３０９８９３７号のような構造も提案されているが、その構造が複雑であるとともに端子台が大きくなる傾向があり、その製造コストも高くなるといった問題があった。
【０００５】
本発明は上記問題を解決するために創案されたものであり、端子台への圧着端子の取り付けや取り外しを容易かつ確実に行うことができ、またケーブルに過大な引張荷重が加わった場合にも圧着端子が引き抜けてしまうことのない構造が単純な差込式端子台を提供することを目的とする。
【課題を解決するための手段】
【０００６】
上記目的を達成するため本発明は、先端部にリング部（１２）が形成された平板状の圧着端子（１４）が設けられたケーブル（１６）を電気回路に接続するための差込式端子台（１０）であって、前記圧着端子を挿入するための空隙（Ａ）が形成された端子台本体（１８）と、該端子台本体に内装され前記空隙内において軸方向下方に付勢された状態で圧着端子の挿入方向と垂直に立設する端子固定棒（２２）と、を備え、該端子固定棒は、圧着端子を端子固定棒の側方から押し込むことで持ち上がり前記空隙内への圧着端子の挿入を許容する一方、挿入された圧着端子のリング部と係合することで圧着端子の引き抜きを禁止する、ことを特徴とする。
【０００７】
ここで差込式端子台は、前記端子固定棒（２２）を引き上げて端子固定棒と前記圧着端子（１４）の前記リング部（１２）との係合を解除するための解除機構（２４）をさらに備える、ことが好ましい。
【０００８】
具体的には、前記解除機構（２４）は端子台本体（１８）の正面に形成された解除用孔（２６）から棒材（２８）を差し込むことによって前記端子固定棒（２２）を持ち上げるシーソー（３０）や、強磁性体によって製作された端子固定棒（２２）および端子固定棒を端子台本体（１８）の正面側から磁着することで持ち上げる磁石（３２）とすることが好ましい。
【０００９】
なお、前記空隙（Ａ）内に挿し入れた圧着端子（１４）を空隙内に敷設された導体（３３）に押し付ける板バネ（３４）をさらに備える、ことが好ましい。
【００１０】
また本発明は、先端部にリング部（１２）が形成された平板状の圧着端子（１４）が設けられたケーブル（１６）を電気回路に接続するための差込式端子台（１０）であって、前記圧着端子を挿入するための空隙（Ａ）が形成された端子台本体（１８）に内装され、空隙内（Ａ）内には挿し入れた圧着端子（１４）を空隙内に敷設された導体（３３）に押し付ける板バネ（３４）が備えられ、該板バネには圧着端子を側方から押し込むことで持ち上がり前記空隙内への圧着端子の挿入を許容する一方、挿入された圧着端子のリング部と係合することで圧着端子の引き抜きを禁止する係合突起（３６）が形成されている、ことを特徴とする。
【００１１】
ここで、前記板バネ（３４）を引き上げて前記係合突起（３６）と前記圧着端子（１４）の前記リング部（１２）との係合を解除するための解除機構（２４）をさらに備える、ものとすることが好ましい。
【発明の効果】
【００１２】
本発明では、圧着端子のリング部を端子台本体の空隙に挿入すると、空隙内で軸方向下方に付勢されて立設する端子固定棒が持ち上がり圧着端子の空隙内への挿入を許容する一方、一度空隙の最深部まで挿入された圧着端子のリング部は端子固定棒に係合するためその引き抜きが禁止される。この差込式端子台では圧着端子の取り付けを容易かつ確実に行うことができ、またケーブルに過大な引張荷重が加わった場合にも圧着端子が引き抜けてしまうことがない。
ここで圧着端子のリング部と端子固定棒との係合を解除する解除機構を設けてやれば、一度端子台に取り付けた圧着端子の取り外しを可能とすることができる。
【００１３】
また本発明では、圧着端子のリング部を端子台本体の空隙に挿入すると、圧着端子を端子台本体側に押し付ける板バネが持ち上がり圧着端子の空隙内への挿入を許容する一方、一度空隙の最深部まで挿入された圧着端子のリング部は板バネに形成された係合突起と係合することでその引き抜きを禁止することができる。
ここで圧着端子のリング部と板バネの係合突起との係合を解除する解除機構を設けてやれば、一度端子台に取り付けた圧着端子の取り外しを可能とすることができる。
【発明を実施するための最良の形態】
【００１４】
本発明の差込式端子台は、先端部に平板状の圧着端子が設けられたケーブルを電気回路に接続するためのもので、ネジ等を使用することなくとも端子台に挿入した圧着端子の引き抜けをなくし、ケーブルと電気回路との容易で確実な接続を可能とするものである。なお本発明の差込式端子台に接続される圧着端子１４には、各図に示しように先端部に環状のリング部１２が形成された平板状のものが用いられる。このリング部にはその中央に直径が６ｍｍ程度のリング穴１２ａが形成されており、リング部にはケーブル１６が結合されている。
以下、本発明の好ましい実施形態を図面を参照して説明する。
【実施例１】
【００１５】
図１は本発明の差込式端子台の第１の実施例を示した斜視図であり、図２は図１のＸ−Ｘ断面図である。差込式端子台１０の外形をなす端子台本体１８（筐体）は、絶縁性の樹脂などで作成された略直方体形状をしており、その側面部には圧着端子１４の平板状のリング部１２をちょうど挿入することができる大きさ（例えば、高さ×幅が０．３ｃｍ×１ｃｍ程度）の矩形の挿入口４１が端子台本体の対向する両側面に複数個並んで形成されている。
端子台本体１８は、その上面に電気回路の一部をなす板状の導体３３が敷設された基部１８ａと、基部の上面を覆うようにして取り付けられる蓋部１８ｂとから構成されている。端子台本体１８は基部１８ａと蓋部１８ｂとを嵌合することで組み立てられ、組み立てた状態で挿入口４１の奥側の端子台本体１８の内部に、挿入口につながる空隙Ａが形成されるようになっている。この空隙Ａは例えば、高さ×幅×奥行が１ｃｍ×１ｃｍ×２．５ｃｍ程度の大きさの空間となっている。
また端子台本体１８の基部１８ａに敷設されて取り付けられた導体３３には、後述する端子固定棒２２の先端が数ミリ程度入り込むこととなる凹孔４３が形成されている。
さらに端子台本体１８の蓋部１８ｂには後述する解除機構を操作するための棒材が差し込まれる解除用孔２６が形成されている。
【００１６】
空隙Ａ内には、挿入口４１から端子台本体１８の空隙内に挿入された圧着端子１４を、端子台本体１８の基部１８ａに敷設した導体３３に押し付けるためのＵ字型に撓ませられた板バネ３４が屈曲部を挿入口４１側に向けて収容されている。
この板バネ３４は弾性に富んだ金属や樹脂を短冊状に形成したものあり、Ｕ字型に屈曲させたときに後述する端子固定棒２２が貫通することとなる直径が５ｍｍ程度の２つの貫通孔が設けられている。
【００１７】
また空隙Ａ内には軸方向下方に付勢された状態で圧着端子１４の挿入方向と直交して立設する端子固定棒２２が取り付けられている。この端子固定棒２２は直径が５ｍｍ弱の円柱形状をしており、その挿入口４１側の下端部側面にはテーパー状に削られたテーパー部２２ａが形成されている。この端子固定棒２２は図２に示したように、その上端が空隙Ａ側の端子台本体１８の蓋部１８ｂに形成された凹穴である固定棒支持穴４７に、バネなどの弾性体４９を挟み入れた状態で入れられて軸方向に摺動自在に支えられている。なお端子固定棒２２は円柱形状に限られず角柱形状等とすることも可能である。
図３に示したように、差込式端子台１０の挿入口４１から平板状の圧着端子１４を徐々に挿入すると、圧着端子は板バネ３４により端子台本体１８の基部１８ａに敷設された導体３３に押し付けられながら空隙Ａ内に侵入し、圧着端子の先端が空隙内で立設する端子固定棒２２下端部側面のテーパー部２２ａに当接する。さらに圧着端子１４を押し込むと圧着端子が端子固定棒２２を押し上げて進み、その後、端子固定棒２２が弾性体４９の付勢力によって圧着端子１４のリング部１２のリング穴１２ａに落ち込む。これにより端子固定棒２２と圧着端子１４のリング部１２とが係合し、圧着端子１４が差込式端子台１０に固定される。なお圧着端子１４に大きな引張荷重が加わった場合でも、端子固定棒２２の下端が導体３３の凹孔４３に落ち込んでいるため、その引き抜けが防止される。
【００１８】
また図４に示したように、この差込式端子台１０の蓋部１８ｂには、端子固定棒２２を引き上げて（すなわち弾性体４９を押し縮めて）、端子固定棒と圧着端子１４のリング部１２との係合を解除するための解除機構２４が備えられている。この解除機構２４は、端子台本体１８の正面（蓋部１８ｂの上面）に形成された解除用孔２６から、マイナスドライバなどの棒材２８を差し入れることによって稼動するシーソー３０である。このシーソー３０は幅×長さが３ｍｍ×５ｍｍ程度の強靭な金属板であり、その中心部底面が支点、端子台本体１８の解除用孔２６の直下に来る金属板の一端が力点、端子固定棒２２の上端近傍側面に引っ掛けられた金属板の他端が作用点となる。
蓋部１８ｂの上面の解除用孔２６から棒材２８を差し入れてシーソー３０の支点を押し下げると、これに伴って作用点が端子固定棒２２を押し上げる（弾性体４９を押し縮める）。端子固定棒２２が押し上げられることで、端子固定棒２２と圧着端子１４との係合が解除され、この状態のときにのみ差込式端子台１０に接続した圧着端子１４を引き抜くことができるようになる。
【００１９】
以上に説明したように本実施例の差込式端子台によれば、圧着端子をワンタッチで端子台に取り付けることができる一方、一度圧着端子を端子台に取り付けた後には、圧着端子のリング部と端子固定棒との係合により、ケーブルに過大な引張荷重が加わった場合にも圧着端子が引き抜けてしまうことを防止することができる。またケーブルを端子台から取り外したい場合には、マイナスドライバなどの棒材を差し入れることで簡単にその取り外し作業を行うことができる。
【実施例２】
【００２０】
図５に本発明の差込式端子台１０の第２の実施例の構造および動作を説明するための断面図を示した。なお実施例１と同様の構成については、同様の符号を付すことで重複した説明を省略する。
【００２１】
本実施例の差込式端子台１０は実施例１のようなシーソーと棒材を用いた解除機構の代わりに、磁石を用いて圧着端子１４のリング部１２と端子固定棒２２との係合を解除するものである。
【００２２】
端子固定棒２２は、鉄や磁石材料等の強磁性体を円柱等の形状としたものであり、挿入口４１側の下端部側面にはテーパー状に削られたテーパー部２２ａが形成されている。この端子固定棒２２は図に示したようにその上端が空隙側の端子台本体１８の蓋部１８ｂの固定棒支持穴４７に、バネなどの弾性体４９を挟み入れた状態で入れられて軸方向に摺動自在に支えられている。なお蓋部１８ｂの固定棒支持穴４７底面は薄肉に形成されており、また端子固定棒２２の頭部は大きく形成されている。
【００２３】
本実施例の差込式端子台１０への圧着端子１４（ケーブル１６）の接続は実施例１と同様に行われる一方、差込式端子台１０からの圧着端子１４の取り外しは、端子台本体１８上面に磁石３２（端子固定棒２２自体が磁石とした場合には磁性体でも可）を置くことで、端子固定棒２２が磁石側に引き上げられて持ち上がる。なお固定棒支持穴４７に挟み入れられた弾性体４９はこのとき押し縮められる必要があるため、弾性体には端子固定棒２２を端子台本体１８の基部１８ａ側に押し下げるだけの弾性力はあるが、端子固定棒２２と磁石３２との磁着によって容易に押し縮められる程度の弾性力しかないものが使用される。
【００２４】
本実施例の本実施例の差込式端子台によれば、実施例１と同様に圧着端子の取り付け・取り外しを簡単かつ確実に行うことができるとともに、端子台の構造を単純化することができる。
【００２５】
なお実施例１や本実施例のような端子固定棒を用いた差込式端子台では、挿入口の大きさ（高さ）を大きくし、端子固定棒のテーパー部の大きさや傾斜角を適切化してやることで、一の挿入口に２枚以上の圧着端子を挿し入れて２本以上のケーブルを電気回路に接続できるようにしてやることも可能である。
【実施例３】
【００２６】
図６に本発明の差込式端子台の第３の実施例の構造および動作を説明するための断面図を示した。
本実施例では実施例１や実施例２のような端子固定棒を省略し、端子台に差し込んだ圧着端子を板バネによって固定するものである。なお実施例１と同様の構成については、同様の符号を付すことで重複した説明を省略する。
【００２７】
図に示したようにこの差込式端子台１０の端子台本体１８は実施例１の端子台本体とほぼ同様の構造を有しており、挿入口４１奥の空隙ＡにはＪ字型に撓ませられた板バネ３４が屈曲部を挿入口側に向けて収容されている。この板バネ３４の屈曲は基部１８ａ側が長辺、蓋部１８ｂ側が短辺となっており、蓋部の解除用孔２６から棒材２８を差し込んだ場合にも、棒材が板バネの短辺と干渉しないようになっている。なおこの板バネには実施例１のような貫通孔は形成されていない。
また図７に示したように、板バネ３４の長辺には基部１８ａと接触する面に傾斜して突起する傾斜突起５１が形成されている。この傾斜突起の高さは２ｍｍ程度で、挿入口側が低く空隙奥側が高くなるようになっている。さらに長辺の傾斜突起５１の裏面には、先端に微小なＬ字型フックが形成された絶縁性の棒材２８（図６参照）を蓋部の解除用孔２６から差し込んだ際に、これを引っ掛けることができるような解除突起５５が形成されている。ここで傾斜突起５１および解除突起５５は板バネ３４をプレス成形する際に突起するようにして形成されている。
なお上述した傾斜突起５１、棒材２８および解除突起５５は、解除機構２４を構成する。
【００２８】
以上のように構成された本実施例の差込式端子台１０では図６に示したように、挿入口４１から圧着端子１４を徐々に挿入すると、圧着端子は板バネ３４により端子台本体１８の基部１８ａに敷設された導体３３に押し付けられながら空隙Ａ内に侵入し、その先端が傾斜突起５１まで到達する。さらに圧着端子１４を押し込むと、圧着端子１４が傾斜突起５１を押し上げて進む。そして、傾斜突起が板バネ３４の弾性力によって圧着端子１４のリング部１２のリング穴１２ａに落ち込むことで、板バネの傾斜突起と圧着端子のリング穴とが係合し、圧着端子１４が差込式端子台１０に固定される。なお圧着端子１４に大きな引張荷重が加わった場合でも、板バネ３４の傾斜突起５１の端部がリング穴１２ａに引っ掛かるため、その引き抜けが防止される。
差込式端子台１０から圧着端子１４を引き抜きたい場合には、図６に示したように解除用孔２６から棒材２８を差し込み、その先端のＬ字型フックで板バネ３４の解除突起５５を引っ掛けてこれを持ち上げ、板バネ３４の傾斜突起と圧着端子１４のリング穴との係合を解除することでその引き抜きが可能となる。
【００２９】
本実施例の差込式端子台では、圧着端子をワンタッチで端子台に取り付けることができるとともに圧着端子の引き抜けを防止することができ、またケーブルを端子台から取り外したい場合には、専用の棒材を用いて簡単にその取り外し作業を行うことができる。この差込式端子台では、実施例１や実施例２のような端子固定棒を用いる必要がないためその構造を単純化でき、製造コストも低減することができる。
【００３０】
以上本発明の差込式端子台の好ましい実施例について説明したが、本発明の圧着端子はかかる構成に限られず、端子台への圧着端子の迅速・確実な取り付けや端子台からの圧着端子の簡単な取り外しを目的としたものであれば本発明の趣旨を逸脱しない範囲で適宜変更して用いることができる。
【図面の簡単な説明】
【００３１】
【図１】第１の実施例の差込式端子台の斜視図である。
【図２】図１のＸ−Ｘ断面図である。
【図３】第１の実施例の差込式端子台に圧着端子を差し込む様子を示した断面図である。
【図４】第１の実施例の差込式端子台から圧着端子を引き抜く様子を示した断面図である。
【図５】第２の実施例の差込式端子台の構造および動作を説明するための断面図である。
【図６】第３の実施例の差込式端子台の構造および動作を説明するための断面図である。
【図７】第３の実施例に用いられる板バネの斜視図である。
【図８】従来の端子台の構造を示した斜視図である。
【符号の説明】
【００３２】
１０  差込式端子台
１２  リング部
１４  圧着端子
１６  ケーブル
１８  端子台本体
１８ａ  基部
１８ｂ  蓋部
２２  端子固定棒
２２ａ  テーパー部
２４  解除機構
２６  解除用孔
２８  棒材
３０  シーソー
３２  磁石
３３  導体
３４  板バネ
３６  係合突起
４１  挿入口
４３  凹孔
４７  固定棒支持穴
４９  弾性体
５１  傾斜突起
５５  引っ掛け突起
Ａ  空隙
【図１】
2008066196.tif 000003
【図２】
2008066196.tif 000004
【図３】
2008066196.tif 000005
【図４】
2008066196.tif 000006
【図５】
2008066196.tif 000007
【図６】
2008066196.tif 000008
【図７】
2008066196.tif 000009
【図８】
2008066196.tif 000010